(57)【要約】  ドッキング機構を有する第１及び第２の無線機器のペアリング処理装置であって、前記第１及び第２の無線機器のそれぞれは、ペアリング処理の要求を検知するペアリング要求検知部と、前記第１及び第２の無線機器のドッキングを検知するドッキング検知部と、前記ペアリング処理の要求に応じて前記第１及び第２の無線機器のペアリング設定処理を行うペアリング設定処理部と、を有し、前記ドッキング機構を用いた前記第１及び第２の無線機器のドッキングの検知により前記検知されたペアリング処理の要求を前記第１及び第２の無線機器のいずれか一方から他方へ通知する、ペアリング処理装置が提供される。
2015097792.tif 000002
【特許請求の範囲】
【請求項１】
ドッキング機構を有する第１及び第２の無線機器のペアリング処理装置であって、
前記第１及び第２の無線機器のそれぞれは、
ペアリング処理の要求を検知するペアリング要求検知部と、
前記第１及び第２の無線機器のドッキングを検知するドッキング検知部と、
前記ペアリング処理の要求に応じて前記第１及び第２の無線機器のペアリング設定処理を行うペアリング設定処理部と、
を有し、
前記ドッキング機構を用いた前記第１及び第２の無線機器のドッキングの検知により前記検知されたペアリング処理の要求を前記第１及び第２の無線機器のいずれか一方から他方へ通知する、
ペアリング処理装置。
【請求項２】
前記第１及び第２の無線機器のそれぞれは、
前記ペアリング処理の要求を検知した時間を計時し、
前記第１及び第２のペアリング設定処理部のそれぞれは、
前記第１及び第２の無線機器においてそれぞれ計時された時間が予め定められた時間より長いとき、前記ペアリング設定処理を行う、
請求項１に記載のペアリング処理装置。
【請求項３】
前記第１及び第２の無線機器のそれぞれは、
前記第１及び第２の無線機器のドッキングを検知している間、前記ペアリング処理の要求を検知した時間を計時する、
請求項２に記載のペアリング処理装置。
【請求項４】
ドッキング機構を有する第１及び第２の無線機器のペアリング処理方法であって、
前記第１及び第２の無線機器のそれぞれにおいて、
前記ペアリング処理の要求を検知し、
前記第１及び第２の無線機器のドッキングを検知し、
前記ペアリング処理の要求に応じて前記第１及び第２の無線機器のペアリング設定処理を行い、
前記ドッキング機構を用いた前記第１及び第２の無線機器のドッキングの検知により前記検知されたペアリング処理の要求を前記第１及び第２の無線機器のいずれか一方から他方へ通知する、
処理をコンピュータが実行するペアリング処理方法。
【請求項５】
前記第１及び第２の無線機器のそれぞれにおいて、
前記ペアリング処理の要求を検知した時間を計時し、
前記計時された時間が予め定められた時間より長いとき、前記ペアリング設定処理を行う、
請求項４に記載のペアリング処理方法。
【請求項６】
前記第１及び第２の無線機器のそれぞれにおいて、
前記第１及び第２の無線機器のドッキングを検知している間、前記ペアリング処理の要求を検知した時間を計時する、
請求項５に記載のペアリング処理方法。
【請求項７】
ドッキング機構を有する第１及び第２の無線機器のペアリング処理プログラムであって、
前記第１及び第２の無線機器のそれぞれにおいて、
前記ペアリング処理の要求を検知し、
前記第１及び第２の無線機器のドッキングを検知し、
前記ペアリング処理の要求に応じて前記第１及び第２の無線機器のペアリング設定処理を行い、
前記ドッキング機構を用いた前記第１及び第２の無線機器のドッキングの検知により前記検知されたペアリング処理の要求を前記第１及び第２の無線機器のいずれか一方から他方へ通知する、
処理をコンピュータに実行させるためのペアリング処理プログラム。
【請求項８】
前記第１及び第２の無線機器のそれぞれにおいて、
前記ペアリング処理の要求を検知した時間を計時し、
前記計時された時間が予め定められた時間より長いとき、前記ペアリング設定処理を行う、
請求項７に記載のペアリング処理プログラム。
【請求項９】
前記第１及び第２の無線機器のそれぞれにおいて、
前記第１及び第２の無線機器のドッキングを検知している間、前記ペアリング処理の要求を検知した時間を計時する、
請求項８に記載のペアリング処理プログラム。
【発明の詳細な説明】
【技術分野】
【０００１】
本発明は、ペアリング処理装置、ペアリング処理方法及びペアリング処理プログラムに関する。
【背景技術】
【０００２】
例えば、ＮＦＣ（Ｎｅａｒ  ｆｉｅｌｄ  ｃｏｍｍｕｎｉｃａｔｉｏｎ）を搭載したスマートフォンを、ＮＦＣを搭載したヘッドホンやスピーカーにタッチするだけでＢｌｕｅｔｏｏｔｈ（登録商標）のペアリング（登録）、接続及び切断がワンタッチでできる技術が知られている（例えば、非特許文献１参照）。【０００３】
無線機器のペアリングの方式には、例えば、プッシュボタン方式、ピン（ＰＩＮ：Ｐｅｒｓｏｎａｌ  ｉｄｅｎｔｉｆｉｃａｔｉｏｎ  ｎｕｍｂｅｒ）入力方式及びバーコード読取方式がある。例えば、ペアリング対象を無線機器Ａと無線機器Ｂとすると、プッシュボタン方式は、無線機器Ａと無線機器Ｂとに物理的に形成されたボタン(以下、「物理ボタン」という。)のそれぞれを、ユーザが特定時間内に押すことで無線機器Ａ，Ｂをペアリングする方法である。【０００４】
プッシュボタン方式では、物理ボタンに替えて、無線機器Ａと無線機器Ｂとにそれぞれインストールされたアプリケーションのボタン(以下、「ソフトウェアボタン」という。)を用いることができる。この場合にも、ユーザは、無線機器Ａと無線機器Ｂとに表示されたソフトウェアボタンのそれぞれを特定時間内に押すことで無線機器Ａ，Ｂをペアリングする。無線機器Ａ及び無線機器Ｂの一方に物理ボタン、他方にソフトウェアボタンをインストールし、同様な方法でペアリングしてもよい。【０００５】
ピン（ＰＩＮ）入力方式は、無線機器Ａ又は無線機器Ｂで生成されたＰＩＮコードを無線機器Ａ又は無線機器Ｂに入力することで無線機器Ａ，Ｂをペアリングする方法である。バーコード読取方式は、無線機器Ａ又は無線機器Ｂで生成されたＰＩＮコードを二次元バーコードの形式で表示し、無線機器Ａ又は無線機器Ｂに設けられたカメラ等で読み取ることにより無線機器Ａ，Ｂをペアリングする方法である。
【先行技術文献】
【非特許文献】
【０００６】
【非特許文献１】http://www.sony.jp/soundpremium/onetouch/
【特許文献】
【０００７】
【特許文献１】特開２００３−１０１５５４号公報
【特許文献２】特開２０１２−１５１７０９号公報
【特許文献３】特開２００９−２７６３７号公報
【特許文献４】特開２００６−１０９２９６号公報
【発明の概要】
【発明が解決しようとする課題】
【０００８】
しかしながら、プッシュボタン方式では、無線機器Ａと無線機器Ｂとに物理ボタン又はソフトウェアボタンを設ける必要がある。また、ユーザは、無線機器Ａと無線機器Ｂとに設けられたボタンを所定時間内に押下しなければならない。その際、ユーザは、無線機器Ａと無線機器Ｂとに設けられたボタンの位置を把握するのに時間を要することがある。ピン（ＰＩＮ）入力方式やバーコード読取方式では、ユーザは、ＰＩＮコードの入力操作やバーコードの読み取り操作を行う必要がある。【０００９】
そこで、一側面では、ペアリング対象の無線機器のペアリング処理の操作を軽減することが可能なペアリング処理装置、ペアリング処理方法及びペアリング処理プログラムを提供することを目的とする。
【課題を解決するための手段】
【００１０】
一つの案では、
ドッキング機構を有する第１及び第２の無線機器のペアリング処理装置であって、前記第１及び第２の無線機器のそれぞれは、ペアリング処理の要求を検知するペアリング要求検知部と、前記第１及び第２の無線機器のドッキングを検知するドッキング検知部と、前記ペアリング処理の要求に応じて前記第１及び第２の無線機器のペアリング設定処理を行うペアリング設定処理部と、を有し、前記ドッキング機構を用いた前記第１及び第２の無線機器のドッキングの検知により前記検知されたペアリング処理の要求を前記第１及び第２の無線機器のいずれか一方から他方へ通知する、ペアリング処理装置が提供される。
【発明の効果】
【００１１】
一態様によれば、ペアリング対象の無線機器のペアリング処理の操作を軽減することができる。
【図面の簡単な説明】
【００１２】
【図１】一実施形態にかかるＰＣのハードウェア構成の一例を示した図。
【図２】一実施形態にかかるディスプレイのハードウェア構成の一例を示した図。
【図３】第１実施形態にかかる無線デバイスの機能構成の一例を示した図。
【図４】第１実施形態にかかる無線デバイスのドッキングと各信号を説明するための図。
【図５】第１実施形態にかかるペアリング設定処理の一例を示したフローチャート。
【図６】変形例にかかるＰＣのハードウェア構成の一例を示した図。
【図７】変形例にかかるディスプレイのハードウェア構成の一例を示した図。
【図８】変形例にかかる無線デバイスのドッキングと各信号を説明するための図。
【図９】第２実施形態にかかる無線デバイスの機能構成の一例を示した図。
【図１０】第２実施形態にかかる無線デバイスのドッキングと各信号を説明するための図。
【図１１】第２実施形態にかかるペアリング設定処理の一例を示したフローチャート。
【図１２】第２実施形態にかかるペアリング設定処理を説明するための図。
【発明を実施するための形態】
【００１３】
以下、本発明の実施形態について添付の図面を参照しながら説明する。なお、本明細書及び図面において、実質的に同一の機能構成を有する構成要素については、同一の符号を付することにより重複した説明を省く。
【００１４】
（はじめに）
以下では、第１及び第２の無線機器のペアリング処理装置の一実施形態について説明する。第１及び第２の無線機器は、ペアリング処理の対象機器である。後述されるように、第１及び第２の無線機器のペアリング処理は、Ｗｉ−Ｆｉ（商標又は登録商標）のセットアップ等である。
【００１５】
本実施形態では、第１の無線機器の一例として、パーソナルコンピュータ（以下、「ＰＣ」という。）を挙げる。また、第２の無線機器の一例として、携帯可能なワイヤレスディスプレイ（以下、「ディスプレイ」という。）を挙げる。しかし、第１の及び第２の無線機器は、無線通信機能を有する機器であれば、ＰＣ及びディスプレイに限られない。例えば、第１の無線機器が本体機器、第２の無線機器が携帯型の機器であってもよいし、両機器が携帯型の機器であってもよい。
【００１６】
出荷時、一組のＰＣとディスプレイとのペアリング処理は完了している。このため、ユーザは、製品を購入直後にペアリング処理を実行する必要はない。しかし、故障などで、ＰＣを交換した場合やディスプレイを交換した場合、ユーザは、ＰＣとディスプレイとのペアリング処理を実行する必要がある。
【００１７】
以下の実施形態では、上記状況で行われる図１のＰＣ１と図２のディスプレイ３とのペアリング処理を例に挙げて説明する。ＰＣ１とディスプレイ３とのペアリング処理装置は、ＰＣ１に内蔵された無線デバイス２００と、ディスプレイ３に内蔵された無線デバイス３００との各機能により実現される。無線デバイス２００は、ＰＣ１に組み込まれるＩＣチップであってもよい。無線デバイス３００は、ディスプレイ３に組み込まれるＩＣチップであってもよい。本実施形態では、無線デバイス２００，３００は、ハードウェアで構成されるが、ソフトウェアで構成されてもよい。
【００１８】
以下で説明する一実施形態に係るペアリング処理装置では、ＰＣ１内の無線デバイス２００がＰＣ１の画像データを送信する送信側機器となり、ディスプレイ３内の無線デバイス３００が無線デバイス２００から送信された画像データを受信する受信側機器となる。ＰＣ１がアクセスポイント（ＡＰ）として動作し、ディスプレイ３がステーション（ＳＴＡ）として動作する。一実施形態に係るペアリング処理装置では、アクセスポイントとステーションとのリンク（ペアリング）の際、ユーザの操作を軽減することができる。つまり、ＰＣ１とディスプレイ３とのいずれかにペアリングボタンが一つ設けられ、ユーザは、一度のボタン操作でペアリング処理を要求することができる。また、無線デバイス２００、３００にはドッキング機構が設けられ、無線デバイス２００，３００間が物理的にドッキングしているときだけペアリングボタンの操作、つまり、ユーザによるペアリング処理の要求が有効になる。
【００１９】
以下では、初めに、無線デバイス２００を含むＰＣ１のハードウェア構成、及び無線デバイス３００を含むディスプレイ３のハードウェア構成を説明する。その後、ペアリング処理を行う無線デバイス２００、３００の機能構成、動作の順に説明する。無線デバイス２００、３００の構成及び動作の説明は、ＰＣ１により例示される第１の無線機器及びディスプレイ３により例示される第２の無線機器のペアリング処理装置の構成及び動作の説明の一例である。
【００２０】
［無線デバイス２００を含むＰＣ１のハードウェア構成］
まず、本発明の一実施形態にかかる無線デバイス２００を含むＰＣ１のハードウェア構成について、図１を参照しながら説明する。図１は、一実施形態にかかる無線デバイス２００を含むＰＣ１のハードウェア構成の一例を示した図である。
【００２１】
本実施形態にかかるＰＣ１は、ＣＰＵ（Central Processing Unit）１０１、ＭａｉｎＭｅｍｏｒｙ１０２、ＨＤＤ（Hard Disk Drive）１０３及びＳｌｉｍ−ＯＤＤ（Optical Disk Drive）１０４を有している。また、ＰＣ１は、ＷＬＡＮ１０５、ＬＡＮ１０６、アンテナ１０７及びＳｕｐｅｒＩＯ（Input/Output）１０８を有している。さらに、ＰＣ１は、ＢＩＯＳ（Basic Input/Output System）メモリ１０９、ＨＤＭＩ（登録商標）（High Definition Multimedia Interface）１１０及びＤＶＩ（Digital Visual Interface）１１１を有している。さらに、ＰＣ１は、ＵＳＢＣＮＴ（Universal Serial Bus CoNTroller）１１２、ＵＳＢＣＮＴ１１３及びＰｏｗｅｒＳｕｐｐｌｙＵｎｉｔ１１４を有している。加えて、本実施形態にかかるＰＣ１には、無線デバイス２００が組み込まれている。
【００２２】
ＣＰＵ１０１は、ＰＣ１における主な処理回路の一例である。ＭａｉｎＭａｍｏｒｙ１０２、ＨＤＤ１０３及びＳｌｉｍ−ＯＤＤ１０４は、ＣＰＵ１０１とバスで接続されている。また、ＷＬＡＮ１０５、ＬＡＮ１０６、ＳｕｐｅｒＩＯ１０８、ＢＩＯＳメモリ１０９、ＨＤＭＩ１１０、ＤＶＩ１１１、ＵＳＢＣＮＴ１１２及びＵＳＢＣＮＴ１１３は、ＣＰＵ１０１とバスで接続されている。ＷＬＡＮ１０５は、アンテナ１０７と接続されている。ＰｏｗｅｒＳｕｐｐｌｙＵｎｉｔ１１４は、ＣＰＵ１０１等の各部に電源を供給する。図１では、ＰｏｗｅｒＳｕｐｐｌｙＵｎｉｔ１１４から各部への電源供給用の線の図示を省略している。
【００２３】
ＨＤＤ１０３は、プログラムやデータを格納している不揮発性の記憶装置である。格納されるプログラムやデータには、装置全体を制御する基本ソフトウェアであるＯＳ（Operating System）、及びＯＳ上において各種機能を提供するアプリケーションソフトウェアなどがある。ＨＤＤ１０３は、ＯＳ、インストールされたアプリケーション、アンインストーラ及びレジストリなどを格納している。
【００２４】
Ｓｌｉｍ−ＯＤＤ１０４は、光ディスクドライブである。配布版のアプリケーション及びアップデートデータなどが、光ディスクで配布された場合、Ｓｌｉｍ−ＯＤＤ１０４は、配布された光ディスクからデータを読み取り、保存する。
【００２５】
ＷＬＡＮ１０５は、アンテナ１０７を介して無線通信を行う。ＷＬＡＮ１０５は、ルータを経由してインターネット等のネットワークに接続され、外部とのデータの授受を行う。ＬＡＮ１０６も同様にインターネット等のネットワークに接続され、外部とのデータの授受を行う。配布版のアプリケーション及びアップデートデータなどは、例えば、ＷＬＡＮ１０５やＬＡＮ１０６を介してダウンロードされてもよい。
【００２６】
ＳｕｐｅｒＩＯ１０８は、入出力インターフェイスである。ＳｕｐｅｒＩＯ１０８には、例えば、キーボードやマウスが接続されてもよい。ＢＩＯＳメモリ１０９は、コンピュータに接続されたディスクドライブ、キーボード、ビデオカードなどを制御するプログラム群（例えば、ＢＩＯＳ）を格納した不揮発性記憶装置である。
【００２７】
ＨＤＭＩ１１０は、デジタル映像や音声を伝送させるためのインターフェイスである。本実施形態では、ＨＤＭＩ１１０を介してＰＣ１で保存された画像データ等がＰＣ１から無線デバイス２００に転送される。ＤＶＩ１１１は、例えば、モニタと接続されてもよく、ＰＣ１で保存された画像データ等をモニタに出力するインターフェイスである。
【００２８】
ＵＳＢＣＮＴ１１２、１１３は、ＰＣ１が有するＵＳＢコネクタに接続されたＵＳＢデバイスの制御回路である。
（無線デバイス２００）
ＰＣ１に内蔵された無線デバイス２００のハードウェア構成について説明する。無線デバイス２００は、エンコーダプロセッサ（Ｅｎｃｏｄｅｒ  Ｐｒｏｃｅｓｓｏｒ）２０２、ＭａｉｎＭｅｍｏｒｙ２０３、ＷＬＡＮ２０４、ＮＡＮＤ  Ｆｌａｓｈメモリ２０６、ＳＰＩ−ＲＯＭ２０７及びドッキング機構２０８を有する。
【００２９】
ＭａｉｎＭａｍｏｒｙ２０３、ＮＡＮＤ  Ｆｌａｓｈメモリ２０６及びＳＰＩ−ＲＯＭ２０７は、エンコーダプロセッサ２０２とバスで接続されている。ＷＬＡＮ２０４は、エンコーダプロセッサ２０２とＵＳＢ（Ｕｎｉｖｅｒｓａｌ  Ｓｅｒｉａｌ  Ｂｕｓ）で接続されている。また、ＷＬＡＮ２０４は、アンテナ２０５と接続され、無線ＬＡＮを介してＰＣ１の画像データをディスプレイ３に送信する。
【００３０】
エンコーダプロセッサ２０２は、無線デバイス２００における主な処理回路の一例である。エンコーダプロセッサ２０２は、ＣＰＵ１０１よりも低電力でかつＣＰＵ１０１よりも単機能の処理を行うための専用プロセッサーである。ＰＣ１の画像データは、ＨＤＭＩ１１０を介してＰＣ１から無線デバイス２００に転送され、エンコーダプロセッサ２０２に入力される。エンコーダプロセッサ２０２は、例えば、画像データを圧縮や符号化した後、ＷＬＡＮ２０４から無線デバイス３００（ディスプレイ３側）に送信する。
【００３１】
ＮＡＮＤ  Ｆｌａｓｈメモリ２０６やＳＰＩ−ＲＯＭ２０７は、以下で説明するペアリング設定処理を行うためにエンコーダプロセッサ２０２により実行されるプログラムを格納してもよい。デコーダプロセッサ３０２は、これらの記憶部に記憶されたペアリング設定処理を行うためのプログラムを実行する。
【００３２】
ドッキング機構２０８は、図２に示される、無線デバイス３００に設けられたドッキング機構３０８と連結可能な構造を有するコネクタである。ドッキング機構２０８には複数の端子が設けられ、ドッキング機構３０８との物理的なドッキングにより無線デバイス２００、３００間の電気的な接続を可能とする。これにより、無線デバイス２００から無線デバイス３００にペアリング処理を要求する信号（以下、「ペアリング信号」という。）を伝送することが可能になる。
【００３３】
［無線デバイス３００を含むディスプレイ３のハードウェア構成］
次に、無線デバイス３００を含むディスプレイ３のハードウェア構成について、図２を参照しながら説明する。
【００３４】
ディスプレイ３に含まれる無線デバイス３００のハードウェア構成は、無線デバイス２００のハードウェア構成と同一である。無線デバイス３００は、デコーダプロセッサ（Ｄｅｃｏｄｅｒ  Ｐｒｏｃｅｓｓｏｒ）３０２、ＭａｉｎＭｅｍｏｒｙ３０３、ＷＬＡＮ３０４、ＮＡＮＤ  Ｆｌａｓｈメモリ３０６、ＳＰＩ−ＲＯＭ３０７及びドッキング機構３０８を有する。
【００３５】
ＭａｉｎＭａｍｏｒｙ３０３、ＮＡＮＤ  Ｆｌａｓｈメモリ３０６及びＳＰＩ−ＲＯＭ３０７は、デコーダプロセッサ３０２とバスで接続されている。ＷＬＡＮ３０４は、デコーダプロセッサ３０２とＵＳＢで接続されている。また、ＷＬＡＮ３０４は、アンテナ３０５と接続され、無線ＬＡＮを介してＰＣ１から画像データを受信する。
【００３６】
デコーダプロセッサ３０２は、無線デバイス３００における主な処理回路の一例である。デコーダプロセッサ３０２は、ＣＰＵ１０１よりも低電力でかつＣＰＵ１０１よりも単機能の処理を行うための専用プロセッサーである。これにより、携帯可能なディスプレイ３０の軽量化を図ることができる。デコーダプロセッサ３０２は、例えば、無線デバイス２００（ＰＣ１側）から送信された画像データの解凍や復号を行う。
【００３７】
ＮＡＮＤ  Ｆｌａｓｈメモリ３０６やＳＰＩ−ＲＯＭ３０７は、以下で説明するペアリング設定処理を行うためにデコーダプロセッサ３０２により実行されるプログラムを格納してもよい。デコーダプロセッサ３０２は、これらの記憶部に記憶されたペアリング設定処理を行うためのプログラムを実行する。
【００３８】
ドッキング機構３０８は、無線デバイス２００に設けられたドッキング機構２０８と連結可能な構造を有するコネクタである。ドッキング機構２０８、３０８を用いたＰＣ１及びディスプレイ３の物理的なドッキングにより、ＰＣ１及びディスプレイ３が電気的に接続され、ペアリング処理の要求を示すペアリング信号がディスプレイ３又はＰＣ１の一方から他方へ伝送される。本実施形態では、ペアリング信号は、ペアリングボタンが配置されたディスプレイ３からＰＣ１へ伝送される。
【００３９】
ドッキング機構３０８は、本実施形態では、ディスプレイ３の長手方向及び短手方向に設けられる。これにより、ＰＣ１（本体）に対してディスプレイ３の画面を横長に配置することや縦長に配置することが可能となり、ユーザの利便性を高めることができる。ただし、ドッキング機構３０８は、ディスプレイ３の長手方向及び短手方向の少なくともいずれかに設けられればよい。
【００４０】
無線デバイス３００は、ＬＣＤ（Ｌｉｑｕｉｄ  Ｃｒｙｓｔａｌ  Ｄｉｓｐｌａｙ）パネル（液晶表示パネル）３０９及びペアリングボタン３１０を有する。ＬＣＤ３０９は、デコーダプロセッサ３０２にてデコードされた画像データを画面に表示する液晶ディスプレイである。
【００４１】
ペアリングボタン３１０は、ディスプレイ３の筐体に設けられた物理ボタンである。ユーザは、ペアリング処理を要求するときにペアリングボタン３１０を押す。これにより、ペアリング処理を要求するペアリング信号が出力される。ペアリングボタン３１０に替えて、ＬＣＤ３０９の画面上にソフトウェアボタン３１１を表示してもよい。この場合、ユーザは、ソフトウェアボタン３１１をタッチすることにより、ペアリング処理の実行を要求してもよい。ただし、ペアリング対象の無線機器に二つ以上のボタンが設けられると、ユーザのボタン操作が複雑になるため、ディスプレイ３には、ペアリングボタン３１０とソフトウェアボタン３１１とのいずれか一つが設けられることが好ましい。
【００４２】
以上、一実施形態に係る無線デバイス２００を含むＰＣ１のハードウェア構成、及び一実施形態に係る無線デバイス３００を含むディスプレイ３のハードウェア構成について説明した。次に、無線デバイス２００と無線デバイス３００との機能及び動作について、第１実施形態、変形例、第２実施形態の順に説明する。
【００４３】
＜第１実施形態＞
第１実施形態にかかるペアリング処理装置を構成する無線デバイス２００，３００の機能構成の一例について、図３を参照しながら説明する。図３は、第１実施形態にかかる無線デバイス２００，３００の機能構成の一例を示す。
【００４４】
［無線デバイスの機能構成］
無線デバイス２００は、ペアリング要求検知部２５１、ドッキング検知部２５２、ペアリング設定処理部２５３、タイマーカウンター２５４及び無線制御部２５５を有する。同様にして、無線デバイス３００は、ペアリング要求検知部３５１、ドッキング検知部３５２、ペアリング設定処理部３５３、タイマーカウンター３５４及び無線制御部３５５を有する。第１実施形態では、無線デバイス２００，３００の機能構成は同一である。
【００４５】
ペアリング要求検知部２５１は、ペアリング処理の要求を検知する。具体的には、ペアリング要求検知部２５１は、ペアリング信号を検知する。ペアリング信号は、ペアリングボタン３１０が押されるとＬｏｗに設定され、出力される。ペアリング信号は、ペアリングボタン３１０が押されていないときにはＨｉｇｈの状態になっている。
【００４６】
ドッキング検知部２５２は、無線デバイス２００，３００のドッキングを検知する。具体的には、ドッキング検知部２５２は、無線デバイス２００，３００のドッキング状態を示すドッキング信号を検知する。本実施形態では、無線デバイス２００，３００がドッキングするとＬｏｗに設定され、出力される。ドッキング信号は、無線デバイス２００，３００がドッキングしていないときにはＨｉｇｈの状態になっている。
【００４７】
ペアリング設定処理部２５３は、ペアリング処理の要求を検知し、かつ、ＰＣ１及びディスプレイ３のドッキングを検知したことに応じてＰＣ１及びディスプレイ３間のペアリング設定処理を行う。
【００４８】
タイマーカウンター２５４は、ペアリング信号を検知した時間を計時する。無線制御部２５５は、無線ＬＡＮを介して画像等のデータの無線通信を制御する。
【００４９】
無線デバイス３００の各部の機能は、無線デバイス２００の上記各部の機能と同じであるため、ここでは説明を省略する。なお、ペアリング要求検知部２５１、ドッキング検知部２５２及びペアリング設定処理部２５３の機能は、エンコーダプロセッサ２０２により実現される。また、ペアリング要求検知部３５１、ドッキング検知部３５２及びペアリング設定処理部３５３の機能は、デコーダプロセッサ３０２により実現される。
【００５０】
（信号の出力）
次に、第１実施形態にかかる無線デバイス２００，３００のドッキングにより出力される各信号について説明する。図４は、第１実施形態にかかる無線デバイス２００，３００のドッキングにより出力される各信号を説明するための図である。
【００５１】
ディスプレイ３に設けられたペアリングボタン３１０が押されると、Ｌｏｗのペアリング信号が出力される。図４では、ドッキング機構２０８，３０８によりＰＣ１及びディスプレイ３は物理的にドッキングされている。この状態では、ペアリング信号は、デコーダプロセッサ３０２に入力される。それとともに、ペアリング信号は、ドッキング機構２０８，３０８を通って電気的に接続されたＰＣ１へ転送され、エンコーダプロセッサ２０２に入力される。
【００５２】
このように、ドッキング機構２０８，３０８によりＰＣ１及びディスプレイ３を物理的にドッキングすることによって、ペアリングボタン３１０が押されたとき、ペアリング信号は直ちにディスプレイ３からＰＣ１へ転送される。これにより、無線デバイス２００，３００にて、次に説明するペアリング設定処理を同時に行うことができる。以下に詳しく説明する。
【００５３】
［ペアリング設定処理］
次に、第１実施形態にかかるペアリング設定処理の一例について、図５を参照しながら説明する。図５は、第１実施形態にかかるペアリング設定処理の一例を示したフローチャートである。図５の左側は、無線デバイス２００（ＰＣ１側）で実行されるペアリング設定処理を示す。図５の右側は、無線デバイス３００（ディスプレイ３側）で実行されるペアリング設定処理を示す。図５に示されるように、無線デバイス２００が行うペアリング設定処理と無線デバイス３００が行うペアリング設定処理とは同一の処理であり、無線デバイス２００，３００で別々に実行される。
【００５４】
ディスプレイ３に設けられたペアリングボタン３１０が押下されると（Ｓ１）、Ｌｏｗのペアリング信号が出力され、デコーダプロセッサ３０２に入力される。これとともに、ペアリング信号は、ドッキング機構２０８，３０８を通って直ちにディスプレイ３からＰＣ１へ転送され、エンコーダプロセッサ２０２に入力される。
【００５５】
よって、無線デバイス２００が行うペアリング設定処理の開始タイミングと、無線デバイス３００が行うペアリング設定処理の開始タイミングとは同時になる。また、無線デバイス２００，３００では同一の処理が実行されるため、無線デバイス２００，３００に搭載するペアリング設定処理のモジュール（プログラム群）を同一にすることができる。以下では、図５の左側に示される無線デバイス２００のペアリング設定処理について説明する。
【００５６】
ペアリングボタン３１０が押下されると（ステップＳ１）、エンコーダプロセッサ２０２は、ステップＳ１０において、ペアリングボタン３１０が押下されたかを判定し、ペアリングボタン３１０が押下されるまでステップＳ１０の処理を繰り返す。
【００５７】
ペアリングボタン３１０が押下されると、エンコーダプロセッサ２０２は、ステップＳ１２に進み、ドッキング状態かを判定し、ドッキング状態になるまでステップＳ１２の処理を繰り返す。
【００５８】
エンコーダプロセッサ２０２は、ドッキング信号により無線デバイス２００，３００がドッキング状態にあると判定した場合、ステップＳ１４に進んでタイマーカウンター２５４をスタートさせる。
【００５９】
次に、エンコーダプロセッサ２０２は、ステップＳ１６において、ペアリングボタン３１０が離されたかを判定し、ペアリングボタン３１０が離されるまでステップＳ１６の処理を繰り返す。エンコーダプロセッサ２０２は、ペアリング信号によりペアリングボタン３１０が離されたと判定した場合、ステップＳ１８に進む。
【００６０】
エンコーダプロセッサ２０２は、ドッキング信号により無線デバイス２００，３００がドッキング状態にないと判定した場合、ステップＳ１０に戻る。このようにして、エンコーダプロセッサ２０２は、無線デバイス２００，３００の物理的なドッキング状態を判定し、物理的にドッキングされていないと判定されたとき、ペアリングボタン３１０のイベント（押下）を受け付けない、つまり、ペアリング処理を実行しないようにする。
【００６１】
一方、無線デバイス２００，３００がドッキング状態にあると判定された場合、エンコーダプロセッサ２０２は、ステップＳ２０に進み、タイマーカウンター２５４が、４秒以上カウントしたかを判定する。つまり、このステップでは、ペアリングボタン３１０が４秒以上長押しされた後に離されたかが判定される。ペアリングボタン３１０が４秒以上長押しされていないと判定された場合、ステップＳ１０に戻り、次のイベントを待つ。ただし、４秒は、ボタンが長押しされたかを示す閾値の一例であり、閾値は５秒や６秒やその他の秒であってもよい。
【００６２】
一方、ステップＳ２０にて、４秒以上カウントされたと判定された場合、エンコーダプロセッサ２０２は、ペアリング処理を実行すると判定し、ステップＳ２２に進み、ペアリングモードをスタートさせる（ペアリング設定処理の実行）。
【００６３】
無線デバイス３００が実行するステップＳ３０〜ステップＳ４２のペアリング設定処理は、無線デバイス２００が実行するステップＳ１０〜ステップＳ２２のペアリング設定処理と同一であるため、ここでは説明を省略する。
【００６４】
無線デバイス２００，３００にてぞれぞれ別々に実行されたペアリング設定処理により、無線デバイス２００，３００においてそれぞれペアリングモードに移行すると、Ｗｉ−Ｆｉのセットアップ等のペアリング処理が開始される。具体的には、ＰＣ１（アクセスポイント）側をセットアップ専用のペアリングモードにすることで、ペアリングモードのディスプレイ３（ステーション）側からＰＣ１（アクセスポイント）側に接続が行われ、ディスプレイ３からのセットアップが可能になる。セットアップ後、ＰＣ１から送信された画像等のデータをディスプレイ３に表示させることが可能になる。
【００６５】
なお、図５には示されていないが、図５の処理に加えて、タイマーカウンター２５４が、例えば、１０秒以上カウントしたかが判定されてもよい。タイマーカウンター２５４が、例えば、１０秒以上カウントしたと判定された場合、ペアリングモードと異なるモード（例えば、ファームウェアのアップグレードに移行させるモード等）をスタートすることができる。
【００６６】
更に、図５には示されていないが、図５の処理に加えて、タイマーカウンター２５４が、例えば、３０秒以上カウントしたかが判定されてもよい。タイマーカウンター２５４が、例えば、３０秒以上カウントしたと判定された場合、セットアップ（ペアリング処理）を強制終了させるなどのエラー処理を実行してもよい。
【００６７】
以上、第１実施形態に係るペアリング処理装置が有する無線デバイス２００，３００により実行される、ＰＣ１とディスプレイ３とのペアリング設定処理の一例について説明した。
【００６８】
ペアリング対象の二つの無線機器にペアリングボタンがそれぞれ設けられている場合、プッシュボタン方式によるペアリング処理では、ユーザはペアリング処理を行うために各無線機器のボタンをそれぞれ押下する必要がある。その場合、一方の無線機器のボタン操作と他方の無線機器のボタン操作とは、時間的に多少ずれることが想定される。よって、ボタン操作を受け付ける時間（つまり、ペアリング処理がタイムアウトになるまでの時間）を例えば数分に設定し、それを超えたときにもう一度ペアリングをやり直すペアリング処理方法が採用されることがある。初めて操作する機器の場合、ボタンの配置位置を探す必要があり、ユーザの手間となる。また、ペアリング処理がタイムアウトになるまでの数分間、電波強度を下げた状態で機器同士をペアリングする仕組みがある。この場合、プッシュボタン方式の一部の機器では、電波強度の強い場合のみにペアリングを行う必要があり、ペアリングする機器同士を近くに設置しておく必要がある。ボタン操作を受け付ける数分は、正当な使用者による機器の使用か不正な使用者による機器の使用かを見分けることが困難であるため、ボタン操作を受け付ける時間が長いとペアリング処理におけるセキュリティが低下する。
【００６９】
一方、本実施形態に係るペアリング処理装置によれば、無線デバイス２００，３００間をドッキングさせた状態において、ユーザは、ディスプレイ３側に設けられたペアリングボタン３１０を一度押すだけでペアリング処理を実行することができる。これによれば、ペアリング処理のユーザ操作を軽減することができる。
【００７０】
つまり、無線デバイス２００，３００間をドッキングさせた状態でペアリングボタン３１０が一度押下されると、ペアリング信号がドッキング機構２０８，３０８を介してディスプレイ３（無線デバイス３００）側からＰＣ１（無線デバイス２００）側に伝送される。これによれば、無線デバイス２００，３００のプロセッサ２０２，３０２がペアリング信号を検知するタイミングに時間差が生じない。このため、電波強度が安定した距離の中で、ペアリング処理（セットアップ）がタイムアウトになるまでの設定時間を短くすることができる。一例としては、以前はセットアップ時間のタイムアウトに数分間を要していたのを、本実施形態では、数秒間程度と顕著に短縮できる。これにより、ボタン操作を受け付ける時間が短縮されることでペアリング処理におけるセキュリティを強化することができる。
【００７１】
本実施形態に係るペアリング処理では、ペアリングボタン３１０が操作され、かつ、無線デバイス２００，３００がドッキング状態にあるときは、ペアリング処理要求を受け付ける。言い換えれば、ディスプレイ３側においてペアリングボタン３１０が押下され、ペアリング信号が検出される場合であっても、無線デバイス２００，３００がドッキング状態にない場合には、ペアリング処理は行われない。
【００７２】
ステップＳ１２、Ｓ３２にてドッキング状態が判定されているのは、無線デバイス２００，３００がドッキング状態にないときは、ユーザがペアリング処理を要求していない状態であり、ドッキング状態になるまでペアリング処理の実行を待つ必要があるためである。無線デバイス２００，３００がドッキングされていない場合であっても、ディスプレイ３のデコードプロセッサ３０２は、ペアリング信号を検出する。よって、デコードプロセッサ３０２は、ペアリング信号の検出だけではドッキング状態を判定することができない。このため、ステップＳ３２にてドッキング状態が判定されている。
【００７３】
一方、無線デバイス２００，３００がドッキングされていない場合、ペアリング信号は、ディスプレイ３側からＰＣ１側に伝送されない。このため、エンコードプロセッサ２０２は、ペアリング信号を検出しないとき、ペアリングボタン３１０が押されていないか、又はドッキングされていない状態であると判定できる。よって、無線デバイス２００は、ステップＳ１０のペアリング信号の検知のみで、ユーザがペアリング処理を要求していない状態であると判定し、ユーザがペアリング処理を要求するまでペアリング処理の実行を待つと判定できる。すなわち、ステップＳ３２によるドッキング状態の判定処理は省略できないが、ステップＳ１２によるドッキング状態の判定処理は省略可能である。ただし、無線デバイス３００が実行するステップＳ３２と同様に、無線デバイス２００においてもステップＳ１２の処理を行うことにより、無線デバイス２００、３００で実行される処理を同一にすることができ、開発の手間を省くことができる。
【００７４】
同様にして、ステップＳ１８、Ｓ３８にてドッキング状態が判定されているのは、物理的にディスプレイ３が本体側のＰＣ１から離された状態では、ユーザがペアリング処理を要求していない状態であり、ペアリングボタン３１０の押下のイベントを無効とすべきだからである。ステップＳ１８、Ｓ３８によるドッキング状態の判定処理は省略できない。
【００７５】
［変形例］
第１実施形態では、ペアリングボタン３１０は、ディスプレイ３側に設けられた。変形例では、ペアリングボタン３１０は、ディスプレイ３でなくＰＣ１に設けられる。図６には、変形例に係るＰＣ１のハードウェア構成の一例が示される。図７には、変形例に係るディスプレイ３のハードウェア構成の一例が示される。
【００７６】
変形例では、ＰＣ１にペアリングボタン１１５が設けられ、ディスプレイ３にペアリングボタンが設けられていない点で、第１実施形態のＰＣ１のハードウェア構成（図１）及び第１実施形態のディスプレイ３のハードウェア構成（図２）と異なる。変形例の場合、図８に示されるように信号の出力は第１実施形態の場合と逆になる。つまり、ペアリング信号は、ＰＣ１側からディスプレイ３側に転送される。変形例のペアリング設定処理は、図５に示した第１実施形態のペアリング設定処理と同じである。
【００７７】
なお、ペアリングボタンは、ＰＣ１とディスプレイ３とのいずれか一方に設けられることが好ましい。ペアリングボタン３１０がＰＣ１とディスプレイ３との両方に設けられると、両方の機器からペアリング信号が出力される可能性がありペアリング処理の要求及び処理が複雑になり好ましくないためである。
【００７８】
＜第２実施形態＞
次に、第２実施形態にかかるペアリング処理装置を構成する無線デバイス２００，３００の機能構成の一例について、図９を参照しながら説明する。図９は、第２実施形態にかかる無線デバイス２００，３００の機能構成の一例を示す。なお、第２実施形態に係るＰＣ１及びディスプレイ３のハードウェア構成は、図１及び図２に示される第１実施形態に係るＰＣ１及びディスプレイ３のハードウェア構成と同様であるため説明を省略する。
【００７９】
［無線デバイスの機能構成］
無線デバイス２００は、ペアリング要求検知部２５１、ペアリング設定処理部２５３及び無線制御部２５５を有する。第２実施形態に係る無線デバイス２００は、ドッキング検知部２５２及びタイマーカウンター２５４の機能を有しない点で、第１実施形態に係る無線デバイス２００の機能構成（図３）と異なる。
【００８０】
無線デバイス３００は、ペアリング要求検知部３５１、ドッキング検知部３５２、ペアリング設定処理部３５３、タイマーカウンター３５４及び無線制御部３５５を有する。図３の第１実施形態に係る無線デバイス３００の機能構成と同一構成である。
【００８１】
（信号の出力）
次に、第２実施形態にかかる無線デバイス２００，３００のドッキングにより出力される各信号について説明する。図１０は、第１実施形態にかかる無線デバイス２００，３００のドッキングにより出力される各信号を説明するための図である。
【００８２】
第２実施形態においても、ディスプレイ３に設けられたペアリングボタン３１０が押されると、Ｌｏｗのペアリング信号が出力される。このとき出力されるペアリング信号は、図１０ではペアリング信号１で示されている。ペアリング信号１は、デコーダプロセッサ３０２に入力される。本実施形態では、ペアリング信号１は、ＰＣ１側に転送されない。
【００８３】
ペアリング信号１を入力したデコーダプロセッサ３０２は、ペアリング処理を実行するか否かの判定を行う。デコーダプロセッサ３０２は、後述されるペアリング設定処理によりペアリング処理を実行すると判定された場合、パルス信号（以下、「ペアリング信号２」という）を出力する。ペアリング信号１，２のいずれも、ペアリング処理を要求する信号の一例である。
【００８４】
図１０では、ドッキング機構２０８，３０８によりＰＣ１及びディスプレイ３は物理的にドッキングされている。この状態では、ペアリング信号２は、デコーダプロセッサ３０２から出力され、ドッキング機構２０８，３０８を通じてＰＣ１に転送され、エンコーダプロセッサ２０２に入力される。ペアリング信号２を出力したデコーダプロセッサ３０２及びペアリング信号２を入力したエンコーダプロセッサ２０２は、ペアリングモードに移行する。
【００８５】
なお、第２実施形態では、ディスプレイ３側のデコーダプロセッサ３０２でペアリング処理をするか否かが判定される。そのため、ドッキング機構２０８，３０８のドッキング状態を示すドッキング信号は、デコーダプロセッサ３０２にのみ入力されればよく、エンコーダプロセッサ２０２に入力される必要はない。
【００８６】
［無線デバイスのペアリング設定処理］
次に、第２実施形態にかかる無線デバイス２００，３００によるペアリング設定処理の一例について、図１１及び図１２を参照しながら説明する。図１１は、第２実施形態にかかる無線デバイス２００，３００によるペアリング設定処理の一例を示したフローチャートである。図１２は、第２実施形態にかかるペアリング設定処理を説明するための図である。なお、図１１の左側は、無線デバイス２００（ＰＣ１側）のペアリング設定処理を示し、右側は、無線デバイス３００（ディスプレイ３側）のペアリング設定処理を示す。無線デバイス２００が行うペアリング設定処理と無線デバイス３００が行うペアリング設定処理とは、別々に行われる。
【００８７】
ペアリングボタン３１０が押下されると、デコーダプロセッサ３０２は、ステップＳ３０において、ペアリングボタン３１０が押下されたかを判定し、ペアリングボタン３１０が押下されるまでステップＳ１０の処理を繰り返す。
【００８８】
デコーダプロセッサ３０２は、ペアリング信号１を入力するとペアリングボタン３１０が押下されたと判定し、ステップＳ３２に進み、ドッキング状態かを判定し、ドッキング状態になるまでステップＳ３２の処理を繰り返す。
【００８９】
デコーダプロセッサ３０２は、ドッキング信号に基づき無線デバイス２００，３００がドッキング状態にあると判定したとき、ステップＳ３４に進んでタイマーカウンター３５４をスタートさせる。
【００９０】
次に、デコーダプロセッサ３０２は、ステップＳ３６において、ペアリングボタン３１０が離されたかを判定し、ペアリング信号に基づきペアリングボタン３１０が離されたと判定されるまでステップＳ３６の処理を繰り返す。
【００９１】
ペアリングボタン３１０が離されると、デコーダプロセッサ３０２は、ステップＳ３８に進み、ドッキング状態かを判定する。デコーダプロセッサ３０２は、ドッキング信号に基づき無線デバイス２００，３００がドッキング状態にないと判定した場合、ステップＳ３０に戻る。このようにして、無線デバイス２００，３００の接続状態を検知し、未接続（物理的にドッキングされていない）のときは、ペアリングボタン３１０のイベントを受け付けないようにする。
【００９２】
無線デバイス２００，３００がドッキング状態にあると判定された場合、デコーダプロセッサ３０２は、ステップＳ４０にて、タイマーカウンター３５４が、４秒以上カウントしたかを判定する。つまり、このステップでは、ペアリングボタン３１０が４秒以上長押しされた後に離されたかが判定される。４秒以上カウントしていないと判定された場合、ステップＳ３０に戻り、次のイベントを待つ。
【００９３】
一方、ステップＳ４０にて、４秒以上カウントしたと判定された場合、デコーダプロセッサ３０２は、ペアリング処理を実行すると判定し、ステップＳ５０に進み、ペアリング信号２を出力する。図１２に示されるように、ペアリング信号２は、Ｈｉｇｈ→Ｌｏｗ→Ｈｉｇｈのパルス信号である。デコーダプロセッサ３０２から出力されたペアリング信号２は、ドッキング機構２０８，３０８を介してＰＣ１に転送される。エンコーダプロセッサ２０２は、ステップＳ５２にて転送されたペアリング信号２を入力する。
【００９４】
ステップＳ５０にてペアリング信号２を出力したデコーダプロセッサ３０２は、ステップＳ５４にてペアリングモードをスタートさせる。同様に、ステップＳ５２にてペアリング信号２を入力したエンコーダプロセッサ２０２は、ステップＳ５６にてペアリングモードをスタートさせる。
【００９５】
以上、第２実施形態に係るペアリング処理装置が有する無線デバイス２００，３００により実行される、ＰＣ１とディスプレイ３とのペアリング設定処理の一例について説明した。第２実施形態に係るペアリング処理装置によれば、無線デバイス２００，３００間をドッキングさせた状態において、ユーザは、ディスプレイ３側に設けられたペアリングボタン３１０を一度押すだけでペアリング処理を実行することができる。これにより、ペアリング処理のためのユーザ操作を軽減することができる。また、セットアップ時間のタイムアウトを短く設定できる。これにより、ペアリング処理におけるセキュリティを強化することができる。
【００９６】
また、第２実施形態に係るペアリング処理装置によれば、ペアリング設定処理を行うかの判定は、ペアリングボタン３１０が設けられた無線デバイス３００のみで行われる。無線デバイス３００がペアリング設定処理を実行すると判定したときのみ、無線デバイス３００は、無線デバイスにペアリング信号２を通知する。よって、ペアリング信号２が通知されたとき、無線デバイス２００は、単純にペアリング設定処理を実行するだけでよい。よって、本実施形態では、無線デバイス２００は、ドッキング検知部２５２及びタイマーカウンター２５４の機能を有する必要がない。これにより、本実施形態では、ペアリングボタンが配置されていない機器側にて、タイマーカウンター２５４による計時処理やドッキング信号の検出処理が不要になり、処理を簡略化できる。
【００９７】
以上、ペアリング対象の無線機器のペアリング処理装置、ペアリング処理方法及びペアリング処理プログラムを上記実施形態により説明したが、本発明は上記実施形態に限定されるものではなく、本発明の範囲内で種々の変形及び改良が可能である。また、上記実施形態及び変形例が複数存在する場合、矛盾しない範囲で組み合わせることができる。
【符号の説明】
【００９８】
１：ＰＣ
３：ディスプレイ
１１５：ペアリングボタン
２００：無線デバイス
２０２：エンコーダプロセッサ
２０４：ＷＬＡＮ
２０８：ドッキング機構
２５１：ペアリング要求検知部
２５２：ドッキング検知部
２５３：ペアリング設定処理部
２５４：タイマーカウンター
２５５：無線制御部
３００：無線デバイス
３０２：デコーダプロセッサ
３０４：ＷＬＡＮ
３０８：ドッキング機構
３０９：ＬＤＣ  Ｐａｎａｌ
３１０：ペアリングボタン
３５１：ペアリング要求検知部
３５２：ドッキング検知部
３５３：ペアリング設定処理部
３５４：タイマーカウンター
３５５：無線制御部
【図１】
2015097792.tif 000003
【図２】
2015097792.tif 000004
【図３】
2015097792.tif 000005
【図４】
2015097792.tif 000006
【図５】
2015097792.tif 000007
【図６】
2015097792.tif 000008
【図７】
2015097792.tif 000009
【図８】
2015097792.tif 000010
【図９】
2015097792.tif 000011
【図１０】
2015097792.tif 000012
【図１１】
2015097792.tif 000013
【図１２】
2015097792.tif 000014
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
ドッキング機構を有する第１及び第２の無線機器のペアリング処理装置であって、
前記第１及び第２の無線機器のそれぞれは、
ペアリングボタンの押下と前記ペアリングボタンの解放とを含むペアリング処理の要求を検知するペアリング要求検知部と、
前記第１及び第２の無線機器のドッキングを検知するドッキング検知部と、
前記ペアリング処理の要求に応じて前記第１及び第２の無線機器のペアリング設定処理を行うペアリング設定処理部と、
を有し、
前記ペアリングボタンの押下の際、及び前記ペアリングボタンの解放の際に、前記第１及び前記第２の無線機器がドッキング状態であるかを判定し、前記判定の結果、いずれもドッキング状態であると判定された場合に、前記検知されたペアリング処理の要求を前記第１及び第２の無線機器のいずれか一方から他方へ通知する、
ペアリング処理装置。
【請求項２】
前記第１及び第２の無線機器のそれぞれは、
前記ペアリング処理の要求を検知した時間を計時し、
前記第１及び第２のペアリング設定処理部のそれぞれは、
前記第１及び第２の無線機器においてそれぞれ計時された時間が予め定められた時間より長いとき、前記ペアリング設定処理を行う、
請求項１に記載のペアリング処理装置。
【請求項３】
前記第１及び第２の無線機器のそれぞれは、
前記第１及び第２の無線機器のドッキングを検知している間、前記ペアリング処理の要求を検知した時間を計時する、
請求項２に記載のペアリング処理装置。
【請求項４】
ドッキング機構を有する第１及び第２の無線機器のペアリング処理方法であって、
前記第１及び第２の無線機器のそれぞれにおいて、
ペアリングボタンの押下と前記ペアリングボタンの解放とを含むペアリング処理の要求を検知し、
前記第１及び第２の無線機器のドッキングを検知し、
前記ペアリング処理の要求に応じて前記第１及び第２の無線機器のペアリング設定処理を行い、
前記ペアリングボタンの押下の際、及び前記ペアリングボタンの解放の際に、前記第１及び前記第２の無線機器がドッキング状態であるかを判定し、前記判定の結果、いずれもドッキング状態であると判定された場合に、前記検知されたペアリング処理の要求を前記第１及び第２の無線機器のいずれか一方から他方へ通知する、
処理をコンピュータが実行するペアリング処理方法。
【請求項５】
ドッキング機構を有する第１及び第２の無線機器のペアリング処理プログラムであって、
前記第１及び第２の無線機器のそれぞれにおいて、
ペアリングボタンの押下と前記ペアリングボタンの解放とを含むペアリング処理の要求を検知し、
前記第１及び第２の無線機器のドッキングを検知し、
前記ペアリング処理の要求に応じて前記第１及び第２の無線機器のペアリング設定処理を行い、
前記ペアリングボタンの押下の際、及び前記ペアリングボタンの解放の際に、前記第１及び前記第２の無線機器がドッキング状態であるかを判定し、前記判定の結果、いずれもドッキング状態であると判定された場合に、前記検知されたペアリング処理の要求を前記第１及び第２の無線機器のいずれか一方から他方へ通知する、
処理をコンピュータに実行させるためのペアリング処理プログラム。
【国際調査報告】
2015097792.tif 000015
2015097792.tif 000016
2015097792.tif 000017
2015097792.tif 000018